(57)【特許請求の範囲】
【請求項１】
顧客が注文する商品の情報を入力するテーブル端末と、前記入力された注文商品についての会計処理を行うサーバとからなり、
前記テーブル端末が、複数人からなる１つのグループに属する参加者を識別するために、前記グループに属する参加者を特定する情報と、その参加者が所有する携帯端末を特定するアドレス情報とを含む参加者情報と、前記グループ全体に共通の注文者を特定しない商品に関する情報と、前記グループに属する参加者が個別に注文しその注文者を特定する個別注文品の情報とを入力する入力部と、前記グループ全体で支払うべき共通商品に関するテーブル注文情報を生成するテーブル注文生成部と、前記個別に注文された個別注文品とその注文者に関する個別注文情報を生成する個別注文生成部と、前記テーブル注文情報と個別注文情報と前記参加者情報とをサーバへ送信する通信部と、
前記入力部によって、途中退席者と、その途中退席者が支払うべき金額とを入力し、その入力された情報から途中退席情報を生成しサーバへ送信する途中退席処理部とを備え、
前記サーバが、前記参加者情報と、前記テーブル注文情報と、前記個別注文情報と、前記途中退席情報とを受信する受信部と、前記受信されたテーブル注文情報を用いて、前記グループ全体に共通の商品についての会計処理を行うテーブル会計部と、前記受信された個別注文情報を用いて、前記個別に注文をした参加者に対して前記個別注文品についての個別会計処理を行う個別会計部と、前記受信された参加者情報と、個別注文情報とから、前記個別会計処理を行うために用いる個別会計コードを生成する個別会計コード生成部と、前記生成された個別会計コードを、前記受信した参加者情報に含まれていたアドレス情報のうち、前記個別注文情報によって特定された参加者が所有する携帯端末のアドレス情報が示すあて先に送信する個別会計コード送信部と、前記受信部によって受信された前記途中退席情報に基づいて、前記途中退席者に対する個別会計処理を行う途中退席者会計部とを備え、
前記グループの参加者が所有する携帯端末をさらに備え、
前記携帯端末が、前記サーバから送信された個別会計コードを受信する第２受信部と、受信した個別会計コードを表示する表示部とを備え、
前記サーバが、前記表示部に表示された個別会計コードから個別注文情報を取得する会計情報取得部をさらに備え、前記個別会計部が、取得した個別注文情報を用いて、個別会計処理を行うことを特徴とする会計処理システム。
【請求項２】
前記入力部は、前記グループ全体に共通の注文品についての会計処理を要求する会計入力部を備え、前記会計入力部から会計処理の要求があった場合に、前記通信部を介して、前記テーブル注文情報に基づく会計要求と、前記個別注文情報が生成されている場合は、その個別注文情報に基づく会計要求とをサーバに送信することを特徴とする請求項１に記載の会計処理システム。
【請求項３】
前記サーバが、前記途中退席情報に基づいて、前記途中退席者の個別会計を行うための個別会計コードを生成する退席コード生成部と、
生成された個別会計コードを、前記途中退席者の参加者情報によって特定される携帯端末へ送信する退席コード送信部と、
前記携帯端末の表示部に表示された個別会計コードから、前記途中退席情報を取得する退席情報取得部とを備え、
前記途中退席者会計部が、前記取得した途中退席情報に基づいて、前記途中退席者に対する個別会計処理を行うことを特徴とする請求項１に記載の会計処理システム。
【請求項４】
前記途中退席者会計部により、途中退席者に対する個別会計が行われた場合、前記テーブル会計部は、受信したテーブル注文情報に基づいて算出されたグループ全体として支払うべき合計金額から、途中退席者によって支払われた金額を減算することを特徴とする請求項１に記載の会計処理システム。
【請求項５】
顧客が注文する商品の情報を入力するテーブル端末と、前記入力された注文商品についての会計処理を行うサーバとからなり、
前記テーブル端末が、複数人からなる１つのグループに属する参加者を識別するための参加者情報と、前記グループ全体に共通の注文者を特定しない商品に関する情報と、前記グループに属する参加者が個別に注文しその注文者を特定する個別注文品の情報とを入力する入力部と、前記グループ全体で支払うべき共通商品に関するテーブル注文情報を生成するテーブル注文生成部と、前記個別に注文された個別注文品とその注文者に関する個別注文情報を生成する個別注文生成部と、前記テーブル注文情報と個別注文情報と前記参加者情報とをサーバへ送信する通信部とを備え、
前記サーバが、前記参加者情報と、前記テーブル注文情報と、前記個別注文情報とを受信する受信部と、前記受信されたテーブル注文情報を用いて、前記グループ全体に共通の商品についての会計処理を行うテーブル会計部と、前記受信された個別注文情報を用いて、前記個別に注文をした参加者に対して前記個別注文品についての個別会計処理を行う個別会計部とを備え、
前記テーブル端末は、前記入力部によって、途中退席者と、その途中退席者が支払うべき金額とを入力し、その入力された情報から途中退席情報を生成しサーバへ送信する途中退席処理部をさらに備え、
前記サーバは、前記受信部によって受信された前記途中退席情報に基づいて、前記途中退席者に対する個別会計処理を行う途中退席者会計部をさらに備えたことを特徴とする会計処理システム。
【請求項６】
前記参加者情報は、前記グループに属する参加者を特定する情報と、その参加者が所有する携帯端末を特定するアドレス情報とを含み、
前記サーバが、前記受信された参加者情報と、個別注文情報とから、前記個別会計処理を行うために用いる個別会計コードを生成する個別会計コード生成部と、
前記生成された個別会計コードを、前記受信した参加者情報に含まれていたアドレス情報のうち、前記個別注文情報によって特定された参加者が所有する携帯端末のアドレス情報が示すあて先に送信する個別会計コード送信部とを備えることを特徴とする請求項５記載の会計処理システム。
【請求項７】
前記グループの参加者が所有する携帯端末をさらに備え、
前記携帯端末が、前記サーバから送信された個別会計コードを受信する第２受信部と、受信した個別会計コードを表示する表示部とを備え、
前記サーバが、前記表示部に表示された個別会計コードから個別注文情報を取得する会計情報取得部を備え、前記個別会計部が、取得した個別注文情報を用いて、個別会計処理を行うことを特徴とする請求項６記載の会計処理システム。
【請求項８】
前記入力部は、前記グループ全体に共通の注文品についての会計処理を要求する会計入力部を備え、前記会計入力部から会計処理の要求があった場合に、前記通信部を介して、前記テーブル注文情報に基づく会計要求と、前記個別注文情報が生成されている場合は、その個別注文情報に基づく会計要求とをサーバに送信することを特徴とする請求項７に記載の会計処理システム。
【請求項９】
前記サーバが、前記途中退席情報に基づいて、前記途中退席者の個別会計を行うための個別会計コードを生成する退席コード生成部と、
生成された個別会計コードを、前記途中退席者の参加者情報によって特定される携帯端末へ送信する退席コード送信部と、
前記携帯端末の表示部に表示された個別会計コードから、前記途中退席情報を取得する退席情報取得部とを備え、
前記途中退席者会計部が、前記取得した途中退席情報に基づいて、前記途中退席者に対する個別会計処理を行うことを特徴とする請求項５に記載の会計処理システム。
【請求項１０】
前記途中退席者会計部により、途中退席者に対する個別会計が行われた場合、前記テーブル会計部は、受信したテーブル注文情報に基づいて算出されたグループ全体として支払うべき合計金額から、途中退席者によって支払われた金額を減算することを特徴とする請求項５に記載の会計処理システム。
【発明の詳細な説明】
【技術分野】
【０００１】
この発明は、会計処理システムに関し、特に、飲食店において、複数人からなる１つのグループの会計処理を行う場合に個別会計が可能な会計処理システムに関する。
【背景技術】
【０００２】
一般的に、飲食店において複数人からなる１つのグループが会計を行う場合、その会計単位はそのグループごとであり、そのグループ全体について１枚のレシートが発行され、各個人ごとにその個人が注文した商品のみについて別々に会計することは行われないことが多い。
また、グループ全体で注文した商品の合計金額を、そのグループの人数で割り算し、１人当たりの支払額として、均等に分割した金額を算出して、その各個人ごとに同額のレシートを発行することにより、個別会計を行う場合もある。
また、グループ全体でオーダーした共通メニューの共通合計金額と、そのグループの個人がオーダーした個々のメニューの個別合計金額を算出し、個別合計金額による個人ごとの決裁処理や、共通合計金額をそのグループの人数で割った割勘金額による決裁処理等を行うことが可能な飲食店用注文受付装置が提案されている（特許文献１参照）。
【先行技術文献】
【特許文献】
【０００３】
【特許文献１】特開２００８−２９９８２１号公報
【発明の概要】
【発明が解決しようとする課題】
【０００４】
１グループ全体で、コースメニューのみを注文した場合は、均等に割勘した金額で個別に会計処理をすることができる。しかし、コースメニューを注文した場合でも、飲物については個人ごとに別々のものを注文する場合があり、さらに、飲食途中において、コースメニューとは別の飲物や食品メニューを、個人ごとに別々に追加する場合もある。
このような場合に、従来のように均等に割勘した金額で個別の会計処理をするとすれば、グループの個人間で不公平となる。あるいは、たとえば、グループの幹事が個人ごとに追加したメニューを記録しておき、店への支払前に、個人ごとに追加メニューの料金の徴収をして精算調整を行った後、グループ全体の会計処理を行うことも考えられるが、その精算調整は非常に煩雑であり、また、個人ごとにレシートを発行するというような個別会計処理ができない。
【０００５】
また、特許文献１などの従来の会計処理においては、個人ごとの個別会計処理とグループの共通メニューに対する割勘金額による会計処理とが可能な場合があるが、飲食途中で退席する者があった場合、その退席時までの注文合計金額に対して退席者についての個別会計をすることができないか、あるいは個別会計は容易ではない。
退席時までの注文合計金額が確認できた場合、たとえば、退席者は、割勘金額や、自己が特別に注文した料理の代金を追加した現金を、幹事に預けておく必要がある。現金を幹事に預ける場合は、クレジットカードや電子マネーによる支払いができないので、退席者にとって不便である。
【０００６】
また、個別会計をする場合には、退席時におけるそのグループ単位の注文合計金額に対して一旦会計処理を行って、その退席者分のみの支払いを店舗に行うことが必要となる。
このように、退席者が出た場合の会計処理は、グループの幹事の負担が大きく、また、店舗にとっても退席者に対する個別会計処理を行った後、さらにグループ全体に対する会計処理や残った者に対する個別会計処理を行わなければならず、会計処理に時間がかかり面倒である。
【０００７】
そこで、この発明は以上のような事情を考慮してなされたものであり、複数人からなるグループが飲食している場合において、飲食途中において料理の追加をした場合や退席者が出た場合でも、そのグループの個人ごとに容易に個別会計が可能となる会計処理システムを提供することを課題とする。
【課題を解決するための手段】
【０００８】
この発明は、顧客が注文する商品の情報を入力するテーブル端末と、前記入力された注文商品についての会計処理を行うサーバとからなり、前記テーブル端末が、複数人からなる１つのグループに属する参加者を識別するための参加者情報と、前記グループ全体に共通の注文者を特定しない商品に関する情報と、前記グループに属する参加者が個別に注文しその注文者を特定する個別注文品の情報とを入力する入力部と、前記グループ全体で支払うべき共通商品に関するテーブル注文情報を生成するテーブル注文生成部と、前記個別に注文された個別注文品とその注文者に関する個別注文情報を生成する個別注文生成部と、前記テーブル注文情報と個別注文情報と前記参加者情報とをサーバへ送信する通信部とを備え、前記サーバが、前記参加者情報と、前記テーブル注文情報と、前記個別注文情報とを受信する受信部と、前記受信されたテーブル注文情報を用いて、前記グループ全体に共通の商品についての会計処理を行うテーブル会計部と、前記受信された個別注文情報を用いて、前記個別に注文をした参加者に対して前記個別注文品についての個別会計処理を行う個別会計部とを備えることを特徴とする会計処理システムを提供するものである。
【０００９】
これによれば、グループ全体に共通の商品についての会計処理と、個別注文品についての個別会計処理とを別々に行うので、退店時の支払調整等を行うグループの幹事の負担を軽減でき、円滑な会計処理が可能となる。
【００１０】
また、前記参加者情報は、前記グループに属する参加者を特定する情報と、その参加者が所有する携帯端末を特定するアドレス情報とを含み、前記サーバが、前記受信された参加者情報と、個別注文情報とから、前記個別会計処理を行うために用いる個別会計コードを生成する個別会計コード生成部と、前記生成された個別会計コードを、前記受信した参加者情報に含まれていたアドレス情報のうち、前記個別注文情報によって特定された参加者が所有する携帯端末のアドレス情報が示すあて先に送信する個別会計コード送信部とを備えることを特徴とする。
【００１１】
さらに、前記グループの参加者が所有する携帯端末をさらに備え、前記携帯端末が、前記サーバから送信された個別会計コードを受信する第２受信部と、受信した個別会計コードを表示する表示部とを備え、前記サーバが、前記表示部に表示された個別会計コードから個別注文情報を取得する会計情報取得部を備え、前記個別会計部が、取得した個別注文情報を用いて、個別会計処理を行うことを特徴とする。
これによれば、個別注文をしたグループの参加者の所有する携帯端末に、その個別注文情報に関する個別会計コードが送信され、この個別会計コードを用いて個別会計処理が行われるので、グループの幹事が直接個別注文品の会計処理に関係する必要はなくなり、個別注文品についての会計処理を円滑に行うことができる。
【００１２】
また、前記入力部は、前記グループ全体に共通の注文品についての会計処理を要求する会計入力部を備え、前記会計入力部から会計処理の要求があった場合に、前記通信部を介して、前記テーブル注文情報に基づく会計要求と、前記個別注文情報が生成されている場合は、その個別注文情報に基づく会計要求とをサーバに送信することを特徴とする。
【００１３】
また、前記テーブル端末は、前記入力部によって、途中退席者と、その途中退席者が支払うべき金額とを入力し、その入力された情報から途中退席情報を生成しサーバへ送信する途中退席処理部をさらに備え、前記サーバは、前記受信部によって受信された前記途中退席情報に基づいて、前記途中退席者に対する個別会計処理を行う途中退席者会計部を備えたことを特徴とする。
これによれば、グループ全体の会計処理とは別に、先に途中退席者についての個別会計処理が可能となり、グループの幹事の負担を軽減でき、途中退席者に対する会計処理を円滑にすることができる。
【００１４】
また、前記サーバが、前記途中退席情報に基づいて、前記途中退席者の個別会計を行うための個別会計コードを生成する退席コード生成部と、生成された個別会計コードを、前記途中退席者の参加者情報によって特定される携帯端末へ送信する退席コード送信部と、
前記携帯端末の表示部に表示された個別会計コードから、前記途中退席情報を取得する退席情報取得部とを備え、前記途中退席者会計部が、前記取得した途中退席情報に基づいて、前記途中退席者に対する個別会計処理を行うことを特徴とする。
【００１５】
さらに、前記途中退席者会計部により、途中退席者に対する個別会計が行われた場合、前記テーブル会計部は、受信したテーブル注文情報に基づいて算出されたグループ全体として支払うべき合計金額から、途中退席者によって支払われた金額を減算することを特徴とする。
【発明の効果】
【００１６】
この発明によれば、複数人からなる１つのグループにおける会計処理をする場合に、グループ全体の共通の商品についての会計処理と、そのグループの参加者が個別に注文した商品についての会計処理とを別々に行うので、会計前にグループ内で現金の受け取りや支払額の調整を行う必要がなく、グループの幹事の負担を軽減でき、円滑な会計処理が可能となる。
【図面の簡単な説明】
【００１７】
【図１】この発明の会計処理システムの一実施例の概略構成図である。
【図２】この発明の会計処理システムの一実施例の概略構成図である。
【図３】この発明のテーブル端末の一実施例の概略ブロック図である。
【図４】この発明のサーバの一実施例の概略ブロック図である。
【図５】この発明のサーバの一実施例の概略ブロック図である。
【図６】この発明のテーブル端末における参加者情報を入力するための表示画面例の説明図である。
【図７】この発明のテーブル端末における参加者の座席を入力するための表示画面例の説明図である。
【図８】この発明のテーブル端末において、参加者の座席を入力した後の表示画面例の説明図である。
【図９】この発明のテーブル端末において、個別注文要求をするための表示画面例の説明図である。
【図１０】この発明のテーブル端末において、会計処理要求をするための表示画面例の説明図である。
【図１１】この発明のテーブル端末において、個別注文会計処理によって、携帯端末に個別会計コードを送信した後の表示画面例の説明図である。
【図１２】この発明の携帯端末の表示部に表示される個別会計コードの一実施例の説明図である。
【図１３】この発明の途中退席処理要求をするための表示画面例の説明図である。
【図１４】この発明の途中退席者の支払金額を入力するための表示画面例の説明図である。
【図１５】この発明のテーブル端末において、退席者会計処理によって、携帯端末に個別会計コードを送信した後の表示画面例の説明図である。
【図１６】この発明のテーブル端末における注文入力処理等のフローチャートである。
【図１７】この発明のサーバにおける注文処理および個別会計処理等の一実施例のフローチャートである。
【図１８】この発明のサーバにおける注文処理および途中退席者処理等の一実施例のフローチャートである。
【図１９】この発明のテーブル端末およびサーバに記憶される情報の一実施例の説明図である。
【図２０】この発明の個別会計コードの一実施例の説明図である。
【発明を実施するための形態】
【００１８】
以下、図面を使用して本発明の実施の形態を説明する。なお、以下の実施例の記載によって、この発明が限定されるものではない。
＜この発明の会計処理システムの構成＞
図１に、この発明の会計処理システムの第１の実施例の構成ブロック図を示す。
図１において、この発明の会計処理システムは、主として、サーバ（ＳＶ）１と、テーブル端末（ＴＥ）２とからなる。また、個別注文品の会計処理や、途中退席者の会計処理をするために携帯端末（ＭＶ）３を用いる。
サーバ（ＳＶ）１は、レストラン等の店舗に設置され、飲食後の会計処理を行うＰＯＳ制御部５を備え、入力された注文商品についての会計処理等を行う装置である。
【００１９】
ＰＯＳ制御部５は、いわゆるＰＯＳ端末に相当する部分であり、従来のＰＯＳ端末と同様に、顧客の注文情報を記憶し、飲食終了後にその注文情報に基づいて料金支払処理を実行する。
また、この発明では、後述するようなテーブル端末２から送られてくる１つのグループに属する顧客の参加者情報や注文情報を記憶し、その記憶された情報に基づいてそのグループの支払合計金額等を計算してそのグループ全体の会計処理を行い、さらに、そのグループに属する個人が特別に注文した個別注文品についての個別会計処理や、そのグループに属し途中退席する者についての個別会計処理を行う。
【００２０】
テーブル端末（ＴＥ）２は、店舗内の各テーブルごとに設置され、顧客が注文する商品の情報を入力する端末装置であり、ネットワークを介してサーバ１と接続される。ネットワークとしては、たとえば、有線ＬＡＮあるいは無線ＬＡＮが用いられる。
テーブル端末（ＴＥ）２は、そのテーブルに着席した複数人からなる１つのグループの顧客に関する情報（以下、参加者情報と呼ぶ）や、飲食する商品の情報（たとえば、注文品名、注文数などを含む。以下、テーブル注文情報と呼ぶ）や、会計等の要求情報を入力する部分であり、入力した情報は、サーバ１へ送信される。
【００２１】
テーブル注文情報は、複数人の参加者からなる１つのグループにおいて、全員によって注文され、そのグループ全体に共通の商品であって、注文者を特定しない商品に関する情報である。
参加者情報は、複数人からなる１つのグループに属する参加者を識別するための情報であり、たとえば、グループに属する参加者それぞれの氏名あるいはニックネームと、各参加者が所有する携帯端末を特定するアドレス情報（メールアドレス）とを含む情報である。
【００２２】
携帯端末（ＭＶ）３は、グループに属する個人（グループの参加者）がそれぞれ所有する端末であり、ここでは、その端末ＭＶごとに固有のメールアドレスを有しているものとする。
ある携帯端末ＭＶａを所有する個人Ａが、テーブル端末２で特別に商品ＡＡＡを注文し、その個別注文情報がサーバ１へ送信された場合、その商品ＡＡＡについての代金の支払義務がグループ全体でなく、その個人Ａにあったとすると、サーバ１からその個人Ａの所有する携帯端末ＭＶａに、個別会計コードが送信される。
【００２３】
個別会計コードとは、個別注文品についての個別会計処理を行うために用いるコードである。たとえば、上記個人Ａが注文した商品ＡＡＡについての情報（注文品名、注文数、注文金額）を含むコード情報であり、一例として、２次元コードが用いられる。
２次元コードとしては、携帯端末ＭＶで画像として表示可能なコードが望ましく、たとえば、ＱＲコード、マイクロＱＲコード、ＰＤＦ４１７などが用いられる。
【００２４】
個別会計コードは、サーバ１によって生成される。
参加者情報には、個人が所有する携帯端末のメールアドレスが含まれているので、このメールアドレスあてに、個別会計コードが添付されたメールを送信する。
この個別会計コードを受信した参加者は、受信したメールに添付された個別会計コードを携帯端末の画面上に表示させて、サーバ１に付属しているコードリーダ（スキャナ）によって読み取らせる。
コードリーダによって読み取られた個別会計コードを解析することにより、その参加者の個別会計処理が行われる。
すなわち、個別会計処理では、グループ全体の会計処理とは別に、その携帯端末の所有者が、個別会計コードに含まれる注文金額に基づいて、個別に注文した商品についての支払いを行う。
【００２５】
図２に、この発明の会計処理システムの第２の実施例の構成ブロック図を示す。
図１の実施例では、サーバ１の中に、ＰＯＳ制御部５を設けた構成を示したが、図２では、サーバ１とは別に、ＰＯＳ端末（ＰＯＳ）４を設けた構成を示している。
ここで、サーバ１と、テーブル端末２と、ＰＯＳ端末４とは、互いにネットワークを介して接続されている。ネットワークとしては、たとえば、有線ＬＡＮあるいは無線ＬＡＮを用いればよい。
【００２６】
テーブル端末２はテーブルごとに設置され、ＰＯＳ端末４は、店舗の出入口など、顧客が会計処理をしやすい場所に設置される。サーバ１は、店舗内のどこかに設置すればよいが、テーブル端末等とネットワークを介して接続される限り店舗外であってもよい。
ＰＯＳ端末４は、顧客が持参した注文伝票に基づいて会計処理を行う端末であり、図１のＰＯＳ制御部５に相当する処理を行うものである。
また、ＰＯＳ端末４は、個別会計コードを読み取るコードリーダ（スキャナ）を有している。
【００２７】
図２のサーバ１は、テーブル端末２から送信される注文情報や参加者情報を記憶し、１グループごとのテーブル注文情報を基に会計処理を行うものであり、ＰＯＳ端末等から会計要求を受信した場合には、その１グループ全体の会計情報をＰＯＳ端末へ送信する。
また、上記したように、個別注文情報がサーバ１に記憶されている場合には、個別会計処理を行うために、サーバ１から個別注文をした注文者の所有する携帯端末へ、個別会計コードが送信される。
この場合、個別会計コードを受信した者は、受信した個別会計コードをＰＯＳ端末に付属するコードリーダに読み取らせて、個別会計処理を行えばよい。
このように、参加者の携帯端末を利用して個別会計処理をすることにより、グループ全体の会計処理とは別に、個別注文に対する精算を容易にすることが可能となり、グループの幹事等の精算時の負担を軽減できる。
【００２８】
また、この発明では、後述するように、あるグループに属する参加者が、先に退席して個別に会計をする場合も、その退席者が支払うべき金額を含む個別会計コードをサーバ１で生成し、そのコードを途中退席者の携帯端末へ送信して、途中退席者についての個別会計処理を行う。
これによれば、グループ内の残りの参加者に途中退席者の支払金額を預けることなく、途中退席者の個別会計を行って、その後に、その途中退席者の会計分を除いたそのグループ全体の会計処理を行うことができるようになる。
以下、個別注文品に対する個別会計処理と、途中退席者の個別会計処理とを行うことができる会計処理システムの一実施形態について説明する。
【００２９】
＜テーブル端末の構成＞
図３に、この発明のテーブル端末（ＴＥ）２の一実施例の構成ブロック図を示す。
このテーブル端末２は、図１および図２のどちらでも使用される。
図３において、テーブル端末２は、主として、制御部１１、入力部１２、通信部１３、表示部１４、記憶部１５、参加者情報生成部１６、個別注文生成部１７、テーブル注文生成部１８、途中退席処理部１９とを備える。
【００３０】
制御部１１は、他の機能ブロック（１２〜１９）に所定の動作を行わせる部分であり、主として、ＣＰＵ、ＲＯＭ、ＲＡＭ、Ｉ／Ｏコントローラ、タイマー等からなるマイクロプロセッサが用いられる。ＣＰＵが、ＲＯＭ等に予め記憶されたプログラムに基づいて、各種ハードウェアを有機的に動作させることにより、この発明の会計処理システムの各種機能が実現される。
【００３１】
入力部１２は、注文品名やその注文数を入力したり、１つのグループに属する参加者の情報を入力する部分である。
具体的には、主として次のような情報が入力される。
１）複数人からなる１つのグループに属する参加者を識別するための参加者情報
２）グループ全体に共通の注文者を特定しない商品に関する情報
３）グループに属する参加者が個別に注文し、その注文者を特定する個別注文品の情報
４）グループ全体に共通の注文品についての会計処理を要求する情報
５）個別注文品についての会計処理を要求する情報
６）途中退席者と、その途中退席者が支払うべき金額（途中退席処理の要求情報）
【００３２】
ここで、上記した会計入力部は、入力部１２のうち、グループ全体に共通の注文品についての会計処理を要求する部分とする。
会計入力部によって、グループ全体の共通注文品についての会計処理を要求する場合は、通常、そのグループの全員が退店する場合と考えられる。
また、全員が退店する場合は、グループ全体の会計に加え、個別注文品についての個別会計も行われるべきものと考えられる。
したがって、会計入力部からの会計処理の要求があった場合は、共通注文品に関するテーブル注文情報に基づく会計要求と、個別注文情報が生成されている場合は、その個別注文情報に基づく会計要求とを、サーバに送信するようにすることが好ましい。
【００３３】
入力部１２としては、種々の入力装置が用いられ、特に限定するものではないが、たとえば、キーボード、マウス、タッチパネルなどが用いられる。
特に、レストラン等において、顧客が自ら情報を入力するためには、できるだけ入力操作が迅速かつ容易に行えることが好ましいので、タッチパネルを用いることが好ましい。
所定の入力項目を表示画面に表示させ、指などを使って画面上の所定の表示位置をタッチすることにより、所望の注文品等を入力できるようにすることが好ましい。
【００３４】
通信部１３は、ネットワークを介して、サーバ（ＳＶ）１とデータ通信を行う部分である。
たとえば、サーバ１からテーブル端末２に対して、表示部１４に表示する画面情報が送られ、テーブル端末２からサーバ１に対して、入力されたテーブル注文情報、個別注文情報および参加者情報が送信される。
表示部１４は、たとえば、注文品の一覧表示や参加者情報を入力する画面などを表示する部分であり、ＬＣＤや有機ＥＬ素子などが用いられる。
テーブル端末２の表示画面例は、後述する図６から図１５に例示する。
【００３５】
参加者情報生成部１６は、この会計処理システムが設置された店舗に来た顧客を特定する情報（参加者情報）を生成する部分である。
来店する顧客は１人の場合もあるが、複数人から構成されるグループの場合もある。この発明のシステムは、１人の場合の会計処理にも利用できるが、以下の実施例では、特に支払形態が複雑となる場合があるグループが来店した場合の会計処理について説明する。
【００３６】
図１９（ａ）に、参加者情報の一実施例の説明図を示す。
１つのグループに属する各構成員を、参加者と呼ぶことにする。
１人の参加者は、たとえば氏名で特定されるので、入力部１２を介して、各参加者に、自己を特定する情報として氏名を入力してもらう。
参加者を特定する情報としては、１つのグループに属する各人を区別できればよいので、実際の氏名の他に、他の情報を用いてもよい。たとえば、ニックネームや、数字、アルファベットなどを用いてもよい。
【００３７】
また、この発明では、上記したように、個別会計処理を行うため携帯端末を用いることを特徴とするが、参加者情報として、さらに、その参加者が所有する携帯端末を特定するアドレス情報である固有のメールアドレスを入力してもらう。
すなわち、参加者情報は、図１９（ａ）に示すように、主として、氏名などの参加者を特定する情報と、その参加者が所有する携帯端末のメールアドレスとから構成される。
図１９（ａ）では、たとえば、Ａさんの参加者情報は、「Ａさん」というようなニックネームと、このＡさんが所有する携帯端末のアドレス（aaa@xxx.ne.jp）とから構成される。
なお、テーブル端末２と携帯端末３とが、互いに近距離無線通信機能を有している場合は、両者の間で所定のプロトコルに基づいて通信を行い、テーブル端末２が、各参加者の携帯端末３のメールアドレスを自動的に取得するようにしてもよい。これにより、その参加者がメールアドレスを手動入力する負担を軽減できる。
参加者情報生成部１６は、１つのグループごとに、このような参加者情報を生成する部分である。参加者情報は、そのグループが着席したテーブルの番号と対応づけられて、記憶部１５に記憶される。
【００３８】
個別注文生成部１７は、１つのグループにおいて、共通の注文品、たとえば予め設定されたコースメニューの商品とは別に、そのグループの各参加者によって個別に注文された個別注文品とその注文者とを特定する情報（個別注文情報）を生成する部分である。
個別注文情報は、入力部１２を用いた所定の操作によって入力されるものであり、たとえば、図１９（ｄ）に示すような情報として記憶部１５に記憶される。
図１９（ｄ）において、注文品名「ＤＥＦ」の商品は、個別注文者名「Ａさん」が独自に注文した商品であり、このＡさんが属するグループの共通商品として注文されたものではないことを意味する。後述するように、この個別注文情報についての支払義務は、個別注文者にあるものとする。
【００３９】
テーブル注文生成部１８は、１つのグループにおいて注文され、そのグループ全体で支払うべき共通商品に関する情報（テーブル注文情報）を生成する部分である。
たとえば、コースメニューを注文した場合、そのコースメニューがテーブル注文情報として生成され、記憶部１５に記憶される。
図１９（ｃ）に、テーブル注文情報の一実施例を示す。
ここで、注文品名の「ＡＢＣ」や「ＴＵＶ」が１つのグループの共通商品として注文された商品である。
この共通商品の代金の支払義務はグループに属する参加者全員にあり、原則として、共通商品の合計金額（テーブル合計金額）を参加者の人数で割った金額を、各個人の支払金額とする。
【００４０】
途中退席処理部１９は、入力部１２によって入力された途中退席者と、その途中退席者が支払うべき金額との情報とから、途中退席情報を生成し、サーバへ送信する部分であり、言いかえれば、１つのグループがまだ店舗に滞在中のときに、途中で退席する者が先に個別の支払いをするために、個別会計処理をする部分である。
具体的には、入力部１２による所定の入力処理に基づいて、図１９（ｅ）に示すような途中退席情報が生成される。
【００４１】
記憶部１５は、このシステムで利用される各種情報を記憶しておく部分であり、ＲＯＭ、ＲＡＭ、ハードディスクなどが用いられる。たとえば、予め設定され変更することがない情報（たとえば、表示部に表示される画面情報）は、ＲＯＭやハードディスクに記憶され、追加、変更あるいは削除されるような情報（注文情報、参加者情報）は、ＲＡＭやハードディスクに記憶される。
【００４２】
図３に示すように、記憶部１５には、主として、参加者情報１５−１、テーブル情報１５−２、テーブル注文情報１５−３、個別注文情報１５−４、途中退席情報１５−５が記憶される。
図１９に、これらの情報についての具体例を示す。
ここで、参加者情報１５−１は、図１９（ａ）に示すように、たとえば、参加者個人を特定する氏名と、各自が所有する携帯端末のアドレス情報とからなる。
このアドレス情報は、個別会計コードを含むメールを送信するあて先情報として用いる。
テーブル情報１５−２は、図１９（ｂ）に示すように、たとえば、テーブル番号と、そのテーブルに属する座席の番号と、参加者名とからなる。参加者名は、参加者情報１５−１の氏名に対応する情報である。
【００４３】
テーブル注文情報１５−３は、図１９（ｃ）に示すように、１つのグループが着席したテーブルにおいて、注文された商品の情報と会計情報とを記憶したものであり、１つのグループごとに生成される。１つのグループが多数の参加者からなり、複数のテーブルを使用する場合は、たとえば使用するテーブルのうち、最も小さいテーブル番号をそのグループが注文する商品のテーブル番号として使用してもよい。
【００４４】
テーブル注文情報１５−３は、主として、テーブル番号、テーブル合計金額、注文品名、注文数、単価、注文品ごとの小計とからなる。
テーブル合計金額は、１つのグループで共通商品として注文した商品の合計金額であり、そのグループの会計処理を行うときに、そのグループが支払うべき金額である。
したがって、原則として、グループ内の参加者が独自に注文した個別注文品の金額は含まない。
ただし、個別注文については後で別に精算することを識別できるようにした上で、テーブル合計金額は、グループ共通の注文品に、グループに属する参加者が個別に注文した商品を加算した合計金額としてもよい。
【００４５】
個別注文情報１５−４は、図１９（ｄ）に示すように、個別注文をした参加者の注文した商品に関する情報である。
個別注文情報１５−４は、主として、テーブル番号、個別注文者名、注文品名、注文数、注文金額とからなる。
個別注文者名は、テーブル情報１５−２の参加者名に対応するものである。
【００４６】
途中退席情報１５−５は、図１９（ｅ）に示すように、途中退席する者が支払うべき金額を示す情報であり、主として、テーブル番号、途中退席者名、支払金額とからなる。
途中退席者名は、テーブル情報１５−２の参加者名に対応し、支払金額は入力部１２によって入力されるべき情報である。
この途中退席情報１５−５は、途中退席者が、グループの会計処理をする前に、先に個別の会計処理をする場合に用いられる。
記憶部１５に記憶される情報は、これらの情報に限られるものではなく、各機能を実行するために必要なデータを記憶してもよい。
【００４７】
＜この発明のサーバの構成＞
図４に、この発明のサーバ（ＳＶ）１の一実施例の構成ブロック図を示す。
ここでは、図１に示したサーバ１の構成ブロック図を示す。
サーバ（ＳＶ）１は、主として、制御部３１、入力部３２、表示部３３、通信部３４、会計情報取得部３５、記憶部３６、個別会計コード生成部３７、個別会計コード送信部３８、個別会計部３９、テーブル会計部４０、途中退席者会計部４１、出力部４２とから構成される。
【００４８】
制御部３１は、主として、ＣＰＵ、ＲＯＭ、ＲＡＭ、Ｉ／Ｏコントローラ、タイマー等を備えたマイクロコンピュータからなり、ＲＯＭ等に記憶されたプログラムに基づいて、他の各機能ブロックの動作を制御する部分である。
このサーバ１は、図１に示したＰＯＳ制御部５を有するものであり、従来から用いられているＰＯＳ端末の機能を実現する構成を有する。たとえば、入力部３２、表示部３３、通信部３４、テーブル会計部４０、出力部４２は、従来のＰＯＳ端末でも備えられていた機能ブロックであり、ＰＯＳ制御部５に含まれるものである。
【００４９】
入力部３２としては、キーボード、マウス、タッチパネルなどが用いられ、さらに個別会計コードを読み取るためのコードリーダ（スキャナ）を備える。
このコードリーダは、会計情報取得部３５の一部に相当する。
表示部３３は、ＬＣＤ、ＣＲＴ、有機ＥＬ素子などが用いられる。
【００５０】
通信部３４は、テーブル端末２とデータ通信を行う部分であり、上記した参加者情報、テーブル注文情報、個別注文情報、および各種要求情報を受信する受信部を含む。
出力部４２は、主としてプリンタが用いられ、会計処理した結果であるレシートを発行する部分である。
【００５１】
会計情報取得部３５は、テーブル端末２で入力された注文品に対する会計情報を取得したり、携帯端末３の表示部に表示された個別会計コードを読み取ることによって個別注文情報を取得する部分である。
特に、テーブル端末２で入力され取得される情報は、１つのグループで共通に注文される商品の会計情報と、個別注文された商品の会計情報とがある。
また、携帯端末３の表示画面に表示された個別会計コードを、スキャナで読み取ることにより、個別注文された会計情報を取得し、あるいは途中退席者が先に支払うべき金額を示した会計情報を取得する。
【００５２】
記憶部３６は、サーバで実行される各機能を実現するのに必要な情報を記憶した部分であり、主として、参加者情報３６−１、テーブル情報３６−２、テーブル注文情報３６−３、個別注文情報３６−４、途中退席情報３６−５、個別会計コード３６−６が記憶される。
個別会計コード３６−６は、個別会計コード生成部３７によって生成されるものであり、他の情報（３６−１〜３６−５）は、テーブル端末２から送信されてきた情報、あるいは、この送信情報から生成された情報である。
【００５３】
個別会計コード生成部３７は、通信部３４を介して受信された参加者情報と個別注文情報とから、個別会計処理を行うために用いる個別会計コード３６−６を生成する部分である。すなわち、あるグループにおいて個別注文がされていた場合に、会計処理要求があったときに、その個別注文に対する個別会計情報を記憶部３６から読み出して、個別会計コード３６−６を生成する部分である。
個別会計コード３６−６には、上記したように２次元コードが用いられ、この２次元コードには、たとえば、図１９（ｄ）に示したような個別注文情報が含まれる。
【００５４】
個別会計コード送信部３８は、上記のように生成された個別会計コード３６−６を、携帯端末３に対して送信する部分である。ここで、送信先の携帯端末は、個別注文情報の中の個別注文者名と対応する参加者情報の携帯端末アドレスによって特定される。
すなわち、個別会計コード生成部３７によって生成された個別会計コード３６−６を、テーブル端末２から送られ通信部３４によって受信した参加者情報３６−１に含まれていたアドレス情報のうち、個別注文情報３６−４によって特定された参加者が所有する携帯端末のアドレス情報あてに送信する。
たとえば、図１９（ａ）と図１９（ｄ）の情報が記憶されている場合、両情報の中に共通する「Ａさん」に対応づけられて記憶されている携帯端末アドレス（aaa@xxx.ne.jp）が読み出され、このアドレスを送信宛先として、個別会計コード３６−６が送信される。
【００５５】
個別会計部３９は、個別注文された商品についての会計処理を行う部分である。
すなわち、通信部３４を介して受信された個別注文情報３６−４を用いて、個別に注文した参加者に対して、個別注文品についての個別会計処理を行う部分である。
会計情報取得部３５によって、個別会計コードが取得（読み取り）されると、そのコードを解析して個別注文情報を読み出し、記憶部３６に予め記憶されている個別注文情報３６−４と比較して、２つの個別注文情報が一致する場合には、その個別注文品のみについての会計処理を行う。
ここでの会計処理は、たとえば、店舗の従業員が、個別注文品についての支払金額を表示部３３に表示して、その個別注文品を注文した参加者からその代金をもらい、入金処理をし、レシートを出力することを意味する。
【００５６】
テーブル会計部４０は、受信したテーブル注文情報３６−３を用いて、１つのグループ全体に共通の商品についての会計処理を行う部分である。
個別注文や途中退席者がないとした場合、１つのグループで注文されたすべての商品についての合計金額（テーブル合計金額）に対する支払処理を行うものである。
ここでは、主として、テーブル端末２から送信され通信部３４を介して受信され、記憶部３６に記憶されたテーブル注文情報３６−３の内容に基づいて、会計処理が行われる。
すなわち、テーブル注文情報のテーブル合計金額に基づいて、そのグループの支払金額を表示部３３に表示し、たとえばグループの代表者からその代金をもらい、入金処理をして、レシートを出力する。
【００５７】
途中退席者会計部４１は、通信部３４を介して受信された途中退席情報３６−５に基づいて、途中退席者に対する個別会計処理を行う部分である。ここでは、途中退席者の個別会計コードを用いて会計処理が行われる。
また、あるグループに属する途中退席者が、テーブル端末２を使って途中退席することと、その者の支払金額を入力することを前提とする。
これらの入力により図１９（ｅ）のような途中退席情報１５−５が生成され、途中退席要求が、テーブル端末２からサーバ１に送信される。
サーバ１では、この要求を受信し、途中退席情報３６−５を取得すると途中退席者の個別会計コード３６−６を生成し、その個別会計コード３６−６を、上記途中退席者の携帯端末３へ送信する。
【００５８】
より詳細には、サーバ１は、受信した途中退席情報３６−５に基づいて、途中退席者の個別会計を行うための個別会計コード３６−６を生成する退席コード生成部（図示せず）と、その生成された個別会計コード３６−６を、途中退席者の参加者情報によって特定される携帯端末３へ送信する退席コード送信部（図示せず）と、携帯端末の表示部に表示された個別会計コードから、途中退席情報３６−５を取得する退席情報取得部（図示せず）とをさらに備える。
また、後述するように、途中退席者に対する個別会計が行われた場合、テーブル会計部４０が、受信したテーブル注文情報３６−３に基づいて算出されたグループ全体として支払うべき合計金額から、途中退席者によって支払われた金額を減算する。
【００５９】
個別会計コード３６−６は、図１９（ｅ）に示したような途中退席情報３６−５を、２次元コード化したものである。
途中退席者は、自己の所有する携帯端末３に、受信された個別会計コード３６−６を表示させて、サーバ１のコードリーダにより読み取らせる。
サーバ１において、コードリーダから個別会計コードを取得すると、そのコードを解析して途中退席情報の中の支払金額を読み出し、その支払金額に基づいて、途中退席者の会計処理を行う。
ここでは、たとえば、店舗の従業員が、読み出した支払金額を表示部３３に表示して、その途中退席者からその代金をもらい、入金処理をして、レシートを出力することを行う。
【００６０】
図４には、携帯端末についての一実施例の主要な構成ブロック図をも示している。
携帯端末３は、一般的には図４に示した構成以外にも多くの機能を備えているが、この発明では、特に、個別会計コード受信部５１、個別会計コード記憶部５２、個別会計コード表示部５３を備える。
個別会計コード受信部５１は、サーバ１の個別会計コード送信部３８から送信される個別会計コードを受信する部分であり、上記した第２受信部に相当する。
ここで受信される個別会計コードは、個別注文情報３６−４に対応するコードと、途中退席情報３６−５に対応するコードのいずれかである。ただし、このコードには、個別注文と途中退席の両情報が含まれる場合もある。
【００６１】
個別会計コード記憶部５２は、受信した個別会計コードを記憶する部分である。
個別会計コード表示部５３は、受信した個別会計コードを表示する部分であり、記憶された個別会計コードを読み出して、サーバ１のコードリーダで読み取れるように表示させる部分である。
携帯端末の所有者は、個別に注文した商品について会計処理をする場合と、途中退席する場合に、受信した個別会計コードを自己の携帯端末に表示させて、サーバ１に付属するコードリーダに読み取らせる必要がある。
しかし、このような個別の会計処理を行うことによって、グループ全体の会計処理をする場合に、退店前に支払調整等をするグループの幹事が個別注文品を考慮した複雑な計算をすることがなく、そのグループの幹事の負担を軽減させることができる。
【００６２】
また、途中退席する場合において、途中退席者は予め自己負担分の現金をグループの他の者に預けることがなく、先に個別の会計ができるようになり、その途中退席者の会計に対して、現金だけでなく、クレジットカードや電子マネー等を用いた支払ができるようになる。
【００６３】
＜第２実施例のサーバとＰＯＳ端末の構成＞
図５に、サーバ１とＰＯＳ端末（ＰＯＳ）４とが分離され別々に設置されている会計処理システムについての一実施例の構成ブロック図を示す。
この構成は、図２の構成に対応したものである。
また、図４に示したサーバ１の構成のうち一部分は、図５のサーバ１に含まれ、他の一部分はＰＯＳ端末（ＰＯＳ）４に含まれる。
図４のサーバ１と同じ機能を持つブロックについては、図４と同じ符号を付与している。
図５において、ＰＯＳ端末（ＰＯＳ）４は、図４のサーバ１に備えられていたのと同様の入力部３２、表示部３３、通信部３４、個別会計部３９、テーブル会計部４０、途中退席者会計部４１、出力部４２を有する。
【００６４】
また、ＰＯＳ端末４は、個別会計コード問合せ部７５、個別会計コード取得部７７、個別会計コード解析部７８、個別会計コード７６−１を記憶する記憶部７６、これらの各機能ブロックの動作を制御する制御部７１とを備える。
個別会計コード取得部７７は、携帯端末３に表示された個別会計コードを取得する部分であり、ＰＯＳ端末４に備えられたコードリーダ（スキャナ）に相当するものである。
このコードリーダによって、表示された個別会計コードが読み取られる。
個別会計コード解析部７８は、読み取られた個別会計コードを解析して、そのコードに含まれている情報を取得する部分である。取得される情報は、個別注文情報３６−４や、途中退席情報３６−５に相当する情報である。
【００６５】
個別会計コード問合せ部７５は、個別会計コードの解析によって取得された情報が正しいものであるか否かを、サーバ１に対して問合せる部分である。サーバ１に問合せることにより、サーバ１においては、取得した情報がサーバ１に予め記憶されている情報に一致するものであり、会計処理をしていいものであるかどうかがチェックされる。
会計処理をしていい場合は、取得された情報が正しいものと判断され、サーバ１からＰＯＳ端末４へ、問合せに対する返答が送られる。この返答があった場合には、解析によって取得した情報に基づいて会計処理が行われる。
【００６６】
図５の場合は、図４のサーバの機能が、サーバ１とＰＯＳ端末４に分離されているだけで、会計処理システム全体としては同様の機能が実行される。
以下の実施例の説明では、図４の構成に基づいて、この発明の会計処理システムの処理を説明する。
【００６７】
＜この発明の注文処理および会計処理＞
図１６に、この発明のテーブル端末２における注文処理等についてのフローチャートを示す。
図１７および図１８に、この発明のサーバ１における注文処理と会計処理についてのフローチャートを示す。
図１７は、特に、個別注文処理を含む場合のフローチャートを示している。
また、図１８は、途中退席者処理を含む場合のフローチャートを示している。
図６から図１５に、この発明のテーブル端末の表示部１４に表示される画面の表示例の説明図を示す。
【００６８】
＜テーブル端末における処理＞
まずテーブル端末２で行われる入力処理について説明する。
図１６においては、この発明のテーブル端末における入力処理等の一実施例を示している。
以下の実施例では、４人の参加者（Ａ，Ｂ，Ｃ，Ｄ）からなる１つのグループが、この会計処理システムを有する店舗に来店し、その店舗の中の１つのテーブルに着席し、商品を注文する場合について説明する。
【００６９】
１つのグループ全員がテーブルに着席した後、そのテーブルに設置されているテーブル端末２を用いて、参加者情報を入力する。このとき、テーブル端末２の表示部１４には、図６に示すような画面が表示され、画面に表示された指示に基づいて、各人が必要な情報を入力する。
ステップＳ１において、参加者情報が入力部１２から入力されると、参加者情報生成部１６が、その情報を参加者情報１５−１として、記憶部１５に記憶する。
ここで、参加者情報１５−１は、図１９（ａ）に示すようなデータであり、氏名と、携帯端末アドレスとから構成される。
【００７０】
図６に、ステップＳ１において、参加者情報が入力された後の表示例を示す。
表示部１４にタッチパネルが備えられている場合は、表示画面に文字、数字などからなるキーボードを表示し、所望の文字部分を指でタッチしながら各自の氏名や携帯端末アドレスを入力すればよい。
ステップＳ２において、参加者全員の入力が完了したか否かをチェックする。たとえば、参加者全員の入力が終了したことを示すキー入力があるか否かチェックする。完了していない場合は、ステップＳ１へ戻り、完了した場合はステップＳ３へ進む。
【００７１】
ステップＳ３において、参加者に、自己が着席した座席位置を入力してもらい、テーブル番号と、各参加者の氏名と座席番号とを対応づけたテーブル情報１５−２を、記憶部１５に記憶する。テーブル番号はテーブル端末２によって特定される。
このとき、たとえば、図７に示すような表示画面を表示させて、画面上でのタッチ操作により、各自の座席を入力してもよい。
【００７２】
図７に、テーブル端末において、座席位置を入力する表示画面例を示す。
図７において、４人の参加者（Ａ，Ｂ，Ｃ，Ｄ）が１つのグループの参加者として入力された場合を示している。また、図７には参加者の氏名を示すアイコンが表示され、図７の番号１〜６は、テーブルの座席番号を示している。
ここで、４人の参加者（Ａ，Ｂ，Ｃ，Ｄ）は、それぞれ、そのテーブルの座席位置１，２，４および５に着席していたとする。
【００７３】
参加者は、自分の氏名に対応する画面上のアイコンをタッチしたまま、そのアイコンを自分が着席している位置の番号のところまで移動させる。
たとえば、参加者Ａさんは、「Ａ」というアイコンを、座席１の位置まで移動させる。これにより、テーブル情報１５−２に、参加者Ａさんと座席番号「１」とが対応づけられて記憶される。
【００７４】
図８に、自己の着席位置を入力した後の表示画面例を示す。ここでは、４つの座席番号（１，２，４，５）に、それぞれ４人の参加者（Ａ，Ｂ，Ｃ，Ｄ）が着席したことを示している。
テーブル情報１５−２の入力が完了した場合、その完了した時刻を、着席時間として、記憶部１５に記憶してもよい。入力されたテーブル端末２のテーブル番号が００１であったとすると、図１９（ｂ）に示すようなテーブル情報１５−２が、記憶部１５に記憶される。
【００７５】
ステップＳ４において、通信部１３を介して、記憶部１５に記憶された参加者情報１５−１（図１９（ａ））と、テーブル情報１５−２（図１９（ｂ））とを、サーバ１に送信する。
サーバ１では、受信された情報を記憶部３６に、参加者情報３６−１と、テーブル情報３６−２として記憶する。
この後、そのグループの参加者は、店舗のメニューを見ながら、テーブル端末２を利用して商品を注文していく。
【００７６】
たとえば、図示していないが、グループ全員に共通の商品を注文する場合は、グループ注文を意味するアイコン（テーブル注文）をタッチし、注文可能なメニューを表示部１４に表示させる。
その後、表示された多数のメニューの中から注文したい商品のアイコンを選択入力することにより、商品の注文を行う。
また、グループ内の各個人が、個別の注文をする場合は、たとえば、機能選択のための入力をし、図９に示すような表示画面を表示させる。
【００７７】
図９は、３つの機能を選択する画面表示例を示している。
すなわち、「個別注文」と、「途中退席」と、「会計」の各機能選択が可能な状態を示している。
個別注文をする場合は、この図９の画面を表示させた状態で、個別注文をする参加者のアイコンをタッチし、その後、「個別注文」のアイコン部分をタッチする。この後、個別注文用のメニュー画面が表示され、所望の注文商品のアイコンを選択入力することにより、その参加者の個別注文を行えばよい。
【００７８】
ステップＳ５において、制御部１１は、入力部１２によって、注文が入力されたかどうか、チェックする。
商品を注文する入力がされた場合は、ステップＳ６へ進み、そうでない場合はステップＳ１２へ進む。
ステップＳ６において、ステップＳ５の注文入力が、個別注文か否かチェックする。
上記したように、図９の表示画面において、「個別注文」が選択されていた場合は、ステップＳ９へ進む。
注文入力が、グループ全体に共通のテーブル注文の場合は、ステップＳ７へ進む。
【００７９】
ステップＳ７において、テーブル注文生成部１８が、ステップＳ５で入力された注文商品についてのテーブル注文情報１５−３を、生成する。
たとえば、商品名「ＡＢＣ」と「ＴＵＶ」が、テーブル番号（００１）のグループの共通商品として注文された場合、図１９（ｃ）のようなテーブル情報が生成される。
図１９（ｃ）において、単価２００円の商品「ＡＢＣ」が４つ注文され、単価３００円の商品「ＴＵＶ」が３つ注文されたことを示している。
また、ここでは、各商品の小計と、そのグループ全体としての合計金額（テーブル合計金額）も記憶している。
【００８０】
ステップＳ８において、生成されたテーブル注文情報１５−３を含むテーブル注文要求を、サーバ１へ送信する。その後、ステップＳ５へ戻り、注文入力などのチェック処理を繰り返す。
サーバ１は、この要求を受信すると、受信した情報をテーブル注文情報３６−３として記憶部３６に記憶する。
【００８１】
ステップＳ９において、個別注文をする注文者情報を入力してもらい、ステップＳ１０において、個別注文生成部１７が、個別注文情報１５−４を生成する。
個別注文の注文者情報は、図９に示したように、「個別注文」のアイコンと、個別注文をする参加者の氏名を示すアイコンをタッチ入力することにより特定される。
図１９（ｄ）に、ステップＳ１０で生成される個別注文情報１５−４の一実施例を示す。
ここでは、テーブル番号００１の参加者Ａさんが、単価５００円の商品「ＤＥＦ」を個別注文した例を示している。
ステップＳ１１において、生成された個別注文情報１５−４を含む個別注文要求を、サーバ１へ送信する。
その後、ステップＳ５へ戻り、注文入力などのチェック処理を繰り返す。
サーバ１では、この要求を受信すると、受信した情報を、個別注文情報３６−４として、記憶部３６に記憶する。
【００８２】
ステップＳ１２において、入力が商品の注文でない場合、その入力が会計入力か否かチェックする。会計入力である場合、ステップＳ１８へ進み、そうでない場合は、ステップＳ１３へ進む。
【００８３】
図１０に、グループ全体の会計処理の入力をする場合の表示画面例を示す。
図１０に示すように、グループ全体の食事が終了し退出する場合、画面上の「会計」のアイコンにタッチすれば会計処理が実行される。
このように「会計」のアイコンがタッチされた場合、ステップＳ１８において、制御部１１は、会計要求を、サーバ１へ送信する。これにより、テーブル端末２におけるそのグループの処理は終了する。
この会計要求を受信したサーバ１では、そのグループ全体の会計処理を実行する。この会計処理の内容は、たとえば、図１７のステップＳ４１からＳ４５に対応するものである。
【００８４】
ステップＳ１３において、入力が「途中退席入力」が否かチェックする。途中退席入力である場合は、ステップＳ１４へ進み、そうでない場合はステップＳ５へ戻る。
図１３に、途中退席を意味する入力がされた表示画面例を示す。
図１３では、参加者「Ｂさん」が途中退席する場合を示している。
図１３の表示画面において、途中退席しようとする「Ｂさん」は、画面上の「Ｂさん」のアイコンをタッチし、「途中退席」のアイコンをタッチすればよい。これにより、ステップＳ１４からＳ１７に示す途中退席処理が実行される。
【００８５】
ステップＳ１４において、上記のような入力操作により、途中退席者の情報を入力してもらい、その情報を記憶する。
ステップＳ１５において、支払金額を入力してもらい、記憶する。
図１３において、「途中退席」のアイコンをタッチした後、たとえば、図１４に示すような表示画面を、表示部１４に表示させる。
この表示画面の指示内容に従って、Ｂさんが支払うべき金額を入力してもらう。
図１４では、途中退席するＢさんが支払うべき金額として、３０００円を入力した画面を示している。
この支払金額は、そのグループ内の参加者によって決定すべきものである。
このとき、図１４に示すように、グループの共通商品として注文された商品の合計金額（たとえば１４５７８円）を表示して、Ｂさんの支払金額を決める上で参考としてもよい。
【００８６】
ステップＳ１６において、途中退席処理部１９が、入力された情報から、途中退席情報１５−５を生成する。
図１９（ｅ）に、途中退席情報１５−５の一実施例を示す。
ステップＳ１７において、生成された途中退席情報を含む途中退席要求を、サーバ１に送信する。その後、ステップＳ５へ戻り、注文入力などのチェック処理を繰り返す。
サーバ１は、この要求を受信すると、途中退席者のための会計処理に必要な処理（図１８のステップＳ１０８からＳ１１８）を実行する。
【００８７】
以上のように、テーブル端末２において、テーブルに着席したグループの参加者は、主として、参加者情報の入力、テーブル注文の入力、個別注文の入力、途中退席者の入力、およびグループ全体等の会計入力をすることにより、この発明の会計処理システムの各種機能が実行される。
特に、個別注文した商品の会計と、途中退席者の会計をする場合において、表示画面を見ながら所定の入力をする必要があるが、従来のように、グループ内で支払金額の相談や調整を事前にしたり、グループ内での現金の受け渡しをする必要がなくなり、グループの幹事の負担を軽減でき、円滑に会計処理をすることができるようになる。
【００８８】
＜サーバにおける注文受付および会計処理＞
ここでは、サーバ１において行われる注文受付処理や、グループ全体の注文、個別注文、および途中退席者などの場合の会計処理について説明する。
図１７および図１８に、この発明のサーバにおける会計処理等の一実施例のフローチャートを示す。
図１７では、個別注文が発生した場合の会計処理を含むフローチャートを示している。
図１８では、途中退席者が出た場合の会計処理を含むフローチャートを示している。
これらの２つのフローチャートは、個別注文と途中退席の処理をわかりやすく説明するために分けたものであり、サーバでは実際にはこれらのすべての処理が実行される。
【００８９】
まず、図１７に基づいて、個別注文が発生した場合について説明する。
図１７のステップＳ３１において、サーバ１の制御部３１は、テーブル端末２から、参加者情報とテーブル情報が受信されるか否かチェックする。
受信されない場合は、ステップＳ３１をループし、受信された場合はステップＳ３２へ進む。
ステップＳ３２において、受信した参加者情報とテーブル情報とを、記憶部３６に記憶する。
ステップＳ３３において、テーブル端末２から、何らかの要求を受信するか否かチェックする。この受信がない場合は、ステップＳ３３をループし、受信があった場合はステップＳ３４へ進む。
【００９０】
ステップＳ３４において、テーブル注文要求を受信したか否かチェックする。
テーブル注文要求を受信した場合は、ステップＳ３５へ進み、そうでない場合は、ステップＳ３７へ進む。
ステップＳ３７において、個別注文要求を受信したか否かチェックする。
個別注文要求を受信した場合は、ステップＳ３８へ進み、そうでない場合は、ステップＳ４０へ進む。
ステップＳ４０において、会計要求を受信したか否かチェックする。
会計要求を受信した場合は、ステップＳ４１へ進み、そうでない場合は処理を終了するか、あるいはステップＳ３３へ戻ってもよい。
【００９１】
ステップＳ３５において、テーブル注文要求が受信された場合、その要求に含まれるテーブル注文情報を受信し、ステップＳ３６において、その情報の中に含まれるテーブル番号と、テーブル注文の内容を、記憶部３６に記憶する。
ここでは、図１９（ｃ）に示すような情報が、テーブル注文情報３６−３として、記憶される。
この情報は上記したように、そのテーブルに着席したグループ全体に共通商品として注文された商品であり、グループに属する参加者全員に対して、その代金については均等に支払義務があるものとする。
【００９２】
ステップＳ３８において、個別注文要求が受信された場合は、その要求に含まれる個別注文情報を受信し、ステップＳ３９において、その情報の中に含まれるテーブル番号と、個別注文者名と、個別注文された商品の個別注文内容とを、記憶部３６に記憶する。
ここでは、図１９（ｄ）に示すような情報が、個別注文情報３６−４として記憶される。
【００９３】
ステップＳ４１において、会計要求が受信された場合、テーブル会計部４０がその会計要求に含まれるテーブル番号を受信する。また、テーブル会計部４０は、以下のステップＳ４２からＳ４５の処理を実行する。
ステップＳ４２において、記憶部３６に記憶されているテーブル注文情報３６−３の中から、受信したテーブル番号に対応づけられたテーブル注文情報３６−３を読み出す。
【００９４】
ステップＳ４３において、読み出した情報の中に含まれる商品の単価情報を取得し、ステップＳ４４において、テーブル注文情報全体についての会計処理を行う。
ここでは、注文品ごとに、その単価と注文数とを乗算して小計を算出し、その小計を加算して全注文品の合計金額を算出する。そして算出した合計金額と、受信したテーブル注文情報のテーブル合計金額とを比較し、一致するか否かチェックして、一致する場合は支払い金額を確定する。
一致しない場合は、再チェックするか、あるいはレジの担当者に一致しない旨を通知してその後の対応を求める。
【００９５】
ステップＳ４５において、会計処理が正常に終了し、そのグループ全体の支払金額が確定した場合は、そのグループが支払うべき金額についてのレシートを発行し、出力部４２によって、レシートを出力する。
以上の処理により、１つのグループ全体で注文した共通商品についての会計処理が終了する。
【００９６】
ステップＳ４６において、会計処理を行ったグループについて、個別注文されていたか否かチェックする。具体的には、記憶部３６の中に、そのグループのテーブル番号が付与された個別注文情報３６−４が存在するか否かチェックする。
個別注文情報３６−４がある場合は、ステップＳ４７へ進み、ない場合は処理を終了する。
【００９７】
ステップＳ４７において、個別会計部３９が、記憶部３６から、個別注文者の個別注文の情報を読み出す。たとえば、図１９（ｄ）の情報を読み出す。
ステップＳ４８において、個別会計コード生成部３７が、読み出した情報を含む個別会計コード（たとえば、ＱＲコード）３６−６を生成し、記憶する。たとえば、図２０（ａ）に示すような情報に基づいて、ＱＲコードを生成する。コードの生成は、そのコードについて標準化されたルールに従って行えばよい。
【００９８】
ステップＳ４９において、個別会計コード送信部３８が、読み出した情報に含まれる個別注文者名の参加者あてに、生成した個別会計コード３６−６を送信する。
ここで、その個別注文者名に一致する氏名を、参加者情報３６−１から探し出し、その氏名に対応づけられて記憶されている携帯端末アドレスを読み出す。そして、その読み出した携帯端末アドレスを送信先とし、送信情報に生成した個別会計コード３６−６を添付して送信する。
【００９９】
送信された個別会計コード３６−６は、送信あて先の参加者が所有する携帯端末３の個別会計コード受信部５１により受信され、個別会計コード記憶部５２に記憶される。その参加者は、自己の携帯端末３への受信があったことを確認し、受信した個別会計コード３６−６を、個別会計コード表示部５３に表示させて、サーバ１のコードリーダに読み取らせる。
図１２に、表示部５３に表示させる個別会計コードの一実施例を示す。
【０１００】
また、サーバ１から携帯端末３へ個別会計コードを送信したとき、図１１に示すように、テーブル端末２の表示画面に個別注文した参加者の携帯端末に個別会計コードを送信したことを示す表示をしてもよい。これにより、その参加者は、自己の携帯端末にコードが送信されて、個別会計をする必要があることを認識することができる。
【０１０１】
ステップＳ５０において、１つのグループ内について、すべての個別注文の処理（ステップＳ４７、Ｓ４８、Ｓ４９）が終了したか否か、チェックする。
全個別注文処理が済んだ場合はステップＳ５１へ進み、そうでない場合は、ステップＳ４７へ戻り処理を繰り返す。
【０１０２】
ステップＳ５１において、会計情報取得部３５は、個別会計コードを取得したか否かチェックする。
ここでは、携帯端末３の表示部５３に表示された個別会計コードを、コードリーダによって読み取ったか否かチェックする。
上記したように、個別会計コードを受信した参加者は、自己の携帯端末の表示部５３に個別会計コードを表示させ、コードリーダに読み取らせる操作をする。あるいは店舗の担当者に携帯端末を渡し、読み取り操作をしてもらってもよい。
個別会計コードが取得できた場合はステップＳ５２へ進み、そうでない場合は、ステップＳ５１をループする。
【０１０３】
ステップＳ５２において、会計情報取得部３５は、取得した個別会計コードを解析する。すなわち、個別会計コードに含まれている情報を取得する。
この解析により、たとえば、図１９（ｄ）に示すような個別注文情報３６−４が取得され生成される。
ステップＳ５３において、生成された個別注文情報３６−４に基づいて、個別注文の会計処理を行う。
すなわち、個別注文情報３６−４に含まれる個別注文者に対して、個別注文した商品についての会計処理を行う。
この会計処理では、たとえば、個別注文の内容を表示部３３に表示させ、レシートを発行し、個別注文者に確認してもらい、個別注文者からその支払い金額を受け取って入金する処理を行えばよい。
【０１０４】
ステップＳ５４において、会計処理をした１つのグループについて、すべての個別注文の処理が終了したか否かをチェックする。
すべての個別注文処理が終了していない場合はステップＳ５１へ戻り、終了した場合は処理を終了する。
以上が、主として、１つのグループ全体のテーブル会計処理と、そのグループ内の個別会計処理の具体的内容である。
これによれば、会計処理を行う場合、グループ全体の会計処理と、個別注文された商品についての個別会計処理を明確に区別して行うことができ、グループの幹事の負担を軽減でき、円滑な会計処理が可能となる。
【０１０５】
次に、図１８に基づいて、途中退席者が発生した場合の処理について説明する。
図１８において、ステップＳ１０１からステップＳ１０６までの処理は、それぞれ図１７のステップＳ３１からステップＳ３６までの処理と同様である。すなわち、テーブル注文については同様の処理が実行される。
【０１０６】
ステップＳ１０４において、受信した要求がテーブル注文要求でなかった場合、ステップＳ１０７へ進む。
ステップＳ１０７において、途中退席要求を受信したか否かチェックする。
途中退席要求を受信した場合は、ステップＳ１０８へ進み、受信しなかった場合はステップＳ１１９へ進む。
ステップＳ１１９において、受信した要求が会計要求であるか否かチェックする。
会計要求であった場合は、ステップＳ１２０へ進み、そうでない場合は処理を終了する。
【０１０７】
ステップＳ１０８において、途中退席者会計部４１が、受信した途中退席要求に含まれる途中退席情報を取得し、その内容を解析する。
たとえば、図１９（ｅ）に示すような情報を取得する。
【０１０８】
途中退席者は、上記したように、図１３の表示画面において、途中退席する自己のアイコンと、「途中退席」を示すアイコンをタッチ入力し、さらに、図１４の表示画面において、支払金額を入力する。これにより、図１９（ｅ）の途中退席情報が生成され、テーブル端末２から、途中退席要求がサーバ１へ送信される。
この途中退席者要求に、途中退席情報が含まれている。
【０１０９】
ステップＳ１０９において、取得した途中退席情報に基づいて、個別会計コード生成部３７が、その途中退席者の個別会計コード（たとえば、ＱＲコード）を生成する。
ここで、たとえば、図２０（ｂ）に示すような途中退席者の個別会計コード３６−６が生成される。このコード３６−６には、テーブル番号、途中退席者名、支払金額が含まれる。
【０１１０】
ステップＳ１１０において、個別会計コード送信部３８が、途中退席者の参加者情報３６−１として記憶されている携帯端末アドレスを送信あて先として、生成された個別会計コード３６−６を送信する。
このとき、図１５に示すように、テーブル端末２の表示画面に、退席者の携帯端末３に個別会計コードを送信したことを表示してもよい。
これにより、途中退席者は、自己の携帯端末３へ送られた個別会計コードを確認して、会計処理をしなければならないことをより確実に認識できる。
【０１１１】
途中退席者は、会計処理をするときに、テーブル端末２で入力した支払金額を支払うことになるが、まず自己の携帯端末３に受信された個別会計コードを表示部５３に表示させる。
そして、その表示された個別会計コードをコードリーダに読み取らせる操作をする。これにより、その個別退席者の個別会計処理が可能となる。
ステップＳ１１１において、携帯端末の表示部５３に表示された個別会計コードを取得したか否か、チェックする。ここでは、ステップＳ５１と同様に、コードリーダによって個別会計コードが読み取られたか否かをチェックする。
【０１１２】
コード３６−６が取得できない場合は、ステップＳ１１１をループし、コード３６−６が読み取れた場合は、ステップＳ１１２へ進む。
ステップＳ１１２において、読み取った個別会計コードを解析する。この解析により、図１９（ｅ）に示すような途中退席情報が取得される。
【０１１３】
ステップＳ１１３において、取得した途中退席情報に基づいて、途中退席者の会計処理を行う。
すなわち、途中退席者が、途中退席情報の支払金額に基づいて、現金による支払を行うと、入金処理を行い、会計処理を終了する。このとき、支払は現金でなくてもよく、たとえば、クレジットカードによる支払や、電子マネーによる支払をしてもよい。会計処理を終了した場合は、たとえば店舗の担当者が、処理終了を示す入力操作をすればよい。
【０１１４】
ステップＳ１１４において、その途中退席者の支払金額について、レシートを発行し、出力部４２によって印刷する。これにより、１人の途中退席者についての会計処理が終了する。
【０１１５】
ステップＳ１１５において、途中退席者の会計処理を終了したか否かチェックする。
ここで、途中退席者が２人以上いる場合は、処理を終了せずに、ステップＳ１０３へ戻り、次の途中退席者について、ステップＳ１０７からステップＳ１１３までの処理を行う。すべての途中退席者についての会計処理が終了した場合は、ステップＳ１１６へ進む。
【０１１６】
ステップＳ１１６において、途中退席者がいたテーブルの現在の合計金額を読み出す。
たとえば、図１９（ｅ）の途中退席情報を処理した場合、図１９（ｃ）に示す同じテーブル番号のテーブル注文情報から、テーブル合計金額を読み出す。
ステップＳ１１７において、読み出した現在の合計金額から、途中退席者の支払金額を減算する。
ステップＳ１１８において、後に、そのグループの会計処理をするときの請求金額の確認を容易にするために、途中退席者の支払金額を記憶部３６に記憶しておく。
これにより、後に、途中退席者がいたグループ全体の会計処理をする場合に、この減算後の合計金額に基づいて、そのグループの共通商品についてのテーブル会計処理が行われることになる。
その後、ステップＳ１０３へ戻る。
【０１１７】
ステップＳ１２０において、１つのグループ全体の会計要求が受信された場合、そのグループがいたテーブルの番号を受信する。
ここで、ステップＳ１２０からステップＳ１２３までの処理と、ステップＳ１２６の処理は、図１７のステップＳ４１からステップＳ４５までの処理と同様である。ここでは説明を省略する。
【０１１８】
ステップＳ１２４において、今会計処理をしているグループに、途中退席者がいたかどうかチェックする。すなわち、同じテーブル番号の途中退席情報３６−５があったか否かチェックする。
途中退席者がいなかった場合は、ステップＳ１２６へ進む。
途中退席者がいた場合、ステップＳ１２５へ進み、途中退席者の支払金額が、そのグループの会計処理で発行されるレシートでもわかるように、レシートへの印刷データの中に、ステップＳ１１８で記憶した途中退席者の支払金額を含める。
【０１１９】
ステップＳ１２６において、そのグループ全体についてテーブル注文情報３６−３の内容に基づいて、レシートを発行し、印刷する。これにより、グループ全体の会計処理が終了する。
図１８の処理によれば、グループ全体の会計処理と、途中退席者の会計処理とが、それぞれの会計処理時に別々に行われ、途中退席者のために行うグループの幹事の負担が軽減され、両方の会計処理を円滑にすることができる。
【符号の説明】
【０１２０】
１  サーバＳＶ
２  テーブル端末
３  携帯端末
４  ＰＯＳ端末
５  ＰＯＳ制御部
１１  制御部
１２  入力部
１３  通信部
１４  表示部
１５  記憶部
１５−１  参加者情報
１５−２  テーブル情報
１５−３  テーブル注文情報
１５−４  個別注文情報
１５−５  途中退席情報
１６  参加者情報生成部
１７  個別注文生成部
１８  テーブル注文生成部
１９  途中退席処理部
３１  制御部
３２  入力部
３３  表示部
３４  通信部
３５  会計情報取得部
３６  記憶部
３６−６  個別会計コード
３７  個別会計コード生成部
３８  個別会計コード送信部
３９  個別会計部
４０  テーブル会計部
４１  途中退席者会計部
４２  出力部
５１  個別会計コード受信部
５２  個別会計コード記憶部
５３  個別会計コード表示部
【図１】
0005746914.tif 000002
【図２】
0005746914.tif 000003
【図３】
0005746914.tif 000004
【図４】
0005746914.tif 000005
【図５】
0005746914.tif 000006
【図６】
0005746914.tif 000007
【図７】
0005746914.tif 000008
【図８】
0005746914.tif 000009
【図９】
0005746914.tif 000010
【図１０】
0005746914.tif 000011
【図１１】
0005746914.tif 000012
【図１２】
0005746914.tif 000013
【図１３】
0005746914.tif 000014
【図１４】
0005746914.tif 000015
【図１５】
0005746914.tif 000016
【図１６】
0005746914.tif 000017
【図１７】
0005746914.tif 000018
【図１８】
0005746914.tif 000019
【図１９】
0005746914.tif 000020
【図２０】
0005746914.tif 000021